(57)【特許請求の範囲】
【請求項１】
印刷物に対応する電子データを蓄積するデータベースと、
前記印刷物に対応した電子データの所在情報を取得する印刷物識別部と、
前記印刷物に対するユーザ行動を認識するユーザ行動認識部と、
前記ユーザ行動認識部によりユーザ行動が破棄行為であったと認識された場合に、前記印刷物に対応する電子データの破棄処理を決定する印刷物状態制御部と、
前記印刷物状態制御部による決定に従って、前記データベースに蓄積されている、前記印刷物に対応する電子データを削除するデータ管理部と
を備えることを特徴とする情報管理装置。
【請求項２】
前記印刷物識別部は、
前記印刷物の紙面を画像データとして読み取る印刷物読取部と、
前記印刷物読取部により読み取った画像データに基づいて、前記印刷物に対応する電子データの所在情報を取得する画像認識部と
を備えることを特徴とする請求項１に記載の情報管理装置。
【請求項３】
前記ユーザ行動認識部は、
前記印刷物に対するユーザ行動を撮影する撮影部と、
前記撮影部によって撮影された映像に基づいて、ユーザ行動が破棄行為であるかを判定するユーザ行動識別部と
を備えることを特徴とする請求項１に記載の情報管理装置。
【請求項４】
前記ユーザ行動識別部は、
前記撮影部によって撮影された映像に基づいて、前記印刷物を破棄するためのオブジェクトが存在し、かつ前記印刷物が前記オブジェクトの中に入れられたことを認識した場合に、前記ユーザ行動が破棄行為であると識別する
ことを特徴とする請求項３に記載の情報管理装置。
【請求項５】
前記オブジェクトは、
ごみ箱、あるいはシュレッダーである
ことを特徴とする請求項４に記載の情報管理装置。
【請求項６】
前記ユーザ行動識別部は、
前記撮影部によって撮影された映像に基づいて、ユーザの両手の位置、ユーザの両手の間にある印刷物の状態、前記印刷物に対するユーザの両手の動き、前記印刷物の状態変化のいずれか、あるいはこれらを組み合わせた状態に基づいて、前記ユーザ行動が破棄行為であると識別する
ことを特徴とする請求項３に記載の情報管理装置。
【請求項７】
前記ユーザ行動認識部は、
前記ユーザ行動識別部により、前記撮影部によって撮影された映像に基づいて、ユーザの両手の位置、ユーザの両手の間にある印刷物の状態、前記印刷物に対するユーザの両手の動き、前記印刷物の状態変化のいずれか、あるいはこれらを組み合わせた状態が識別された場合に、ユーザの両手を動かす速さが所定の閾値以上であるか、あるいは、ユーザが両手を動かした回数が所定の閾値以上であるかを判定するユーザ行動程度判定部を更に備え、
前記印刷物状態制御部は、
前記ユーザ行動程度判定部によりユーザの両手を動かす速さが所定の閾値以上であるか、あるいは、ユーザが両手を動かした回数が所定の閾値以上であると判定された場合に、前記印刷物に対応する電子データの破棄処理を決定する
ことを特徴とする請求項６に記載の情報管理装置。
【請求項８】
前記ユーザ行動認識部は、
ユーザ行動時の音を収録する音収録部と、
前記音収録部によって取り込まれた音を解析することによって、前記印刷物を破ったときの音であることが認識された場合に、前記ユーザ行動が破棄行為であると識別するユーザ行動識別部と
を備えることを特徴とする請求項１に記載の情報管理装置。
【請求項９】
前記ユーザ行動認識部は、
ユーザの手指に装着したセンサと、
前記センサから得られる検出信号を取得するセンサ信号取得部と、
前記センサ信号取得部によって取得された検出信号を解析して、前記印刷物を破るときの手の動きが認識された場合に、前記ユーザ行動が破棄行為であると識別するユーザ行動識別部と
を備えることを特徴とする請求項１に記載の情報管理装置。
【請求項１０】
印刷物に対応する電子データをデータベースに蓄積するステップと、
前記印刷物に対応した電子データの所在情報を取得するステップと、
前記印刷物に対するユーザ行動を認識するステップと、
前記ユーザ行動が破棄行為であったと認識された場合に、前記印刷物に対応する電子データの破棄処理を決定するステップと、
前記データベースに蓄積されている、前記印刷物に対応する電子データを削除するステップと
を含むことを特徴とする情報管理方法。
【請求項１１】
コンピュータに、
印刷物に対応する電子データをデータベースに蓄積する蓄積機能、
前記印刷物に対応した電子データの所在情報を取得する印刷物識別機能、
前記印刷物に対するユーザ行動を認識するユーザ行動認識機能、
前記ユーザ行動が破棄行為であったと認識された場合に、前記印刷物に対応する電子データの破棄処理を決定する印刷物状態制御機能、
前記印刷物状態制御機能による決定に従って、前記データベースに蓄積されている、前記印刷物に対応する電子データを削除するデータ管理機能
を実行させることを特徴とするプログラム。    
【発明の詳細な説明】
【技術分野】
【０００１】
本発明は、情報管理装置、情報管理方法、及びプログラムに関する。
【背景技術】
【０００２】
ユーザは、コンピュータや携帯電話、スマートフォンなどの情報処理装置で電子データからなる文書データ（チラシや資料等）を作成し、該文書データを印刷物として印字して利用した後、該文書を管理するために、バインダーや箱に入れて保存したり、破ることで破棄したりするという動作を行う。
【０００３】
このとき、該文書データに対応する電子データは、情報処理装置内の記憶媒体（メモリやハードディス等）に保存されたままの状態となる。情報処理装置におけるデータ管理は、ユーザの動作、行動に連動させて行うことができず、その情報処理装置独自の管理方法で行う必要がある。つまり、ユーザが管理方法を学習して、使い慣れる必要がある。
【０００４】
例えば、特許文献１では、印刷物を確実に破棄したことを証明する（ユーザに提示する）ために、印刷する段階で識別情報を印字しておき、裁断した段階で抽出した情報と、事前の識別情報とを照合する方法が提案されている。
【先行技術文献】
【特許文献】
【０００５】
【特許文献１】特開２００９−１５７５１６号公報
【発明の概要】
【発明が解決しようとする課題】
【０００６】
しかしながら、上述した特許文献１では、印刷物自体を破棄することはできても、電子データを管理することを目的としていないため、破棄した印刷物の状態に連動して元々の電子データを破棄することはできないという問題がある。
【０００７】
本発明は、このような事情を考慮してなされたものであり、その目的は、実際に印刷された印刷物を破る、ごみ箱に捨てるなど、日常的に行う動作に基づいて、印刷物に対応する電子データを管理することができる情報管理装置、情報管理方法、及びプログラムを提供することにある。
【課題を解決するための手段】
【０００８】
上述した課題を解決するために、本発明の一態様である情報管理装置は、印刷物に対応する電子データを蓄積するデータベースと、前記印刷物に対応した電子データの所在情報を取得する印刷物識別部と、前記印刷物に対するユーザ行動を認識するユーザ行動認識部と、前記ユーザ行動認識部によりユーザ行動が破棄行為であったと認識された場合に、前記印刷物に対応する電子データの破棄処理を決定する印刷物状態制御部と、前記印刷物状態制御部による決定に従って、前記データベースに蓄積されている、前記印刷物に対応する電子データを削除するデータ管理部とを備えることを特徴とする情報管理装置である。
【０００９】
上記情報管理装置において、前記印刷物識別部は、前記印刷物の紙面を画像データとして読み取る印刷物読取部と、前記印刷物読取部により読み取った画像データに基づいて、前記印刷物に対応する電子データの所在情報を取得する画像認識部とを備えるようにしてもよい。
【００１０】
上記情報管理装置において、前記ユーザ行動認識部は、前記印刷物に対するユーザ行動を撮影する撮影部と、前記撮影部によって撮影された映像に基づいて、ユーザ行動が破棄行為であるかを判定するユーザ行動識別部とを備えるようにしてもよい。
【００１１】
上記情報管理装置において、前記ユーザ行動識別部は、前記撮影部によって撮影された映像に基づいて、前記印刷物を破棄するためのオブジェクトが存在し、かつ前記印刷物が前記オブジェクトの中に入れられたことを認識した場合に、前記ユーザ行動が破棄行為であると識別するようにしてもよい。
【００１２】
上記情報管理装置において、前記オブジェクトは、ごみ箱、あるいはシュレッダーであってもよい。
【００１３】
上記情報管理装置において、前記ユーザ行動識別部は、前記撮影部によって撮影された映像に基づいて、ユーザの両手の位置、ユーザの両手の間にある印刷物の状態、前記印刷物に対するユーザの両手の動き、前記印刷物の状態変化のいずれか、あるいはこれらを組み合わせた状態に基づいて、前記ユーザ行動が破棄行為であると識別するようにしてもよい。
【００１４】
上記情報管理装置において、前記ユーザ行動認識部は、前記ユーザ行動識別部により、前記撮影部によって撮影された映像に基づいて、ユーザの両手の位置、ユーザの両手の間にある印刷物の状態、前記印刷物に対するユーザの両手の動き、前記印刷物の状態変化のいずれか、あるいはこれらを組み合わせた状態が識別された場合に、ユーザの両手を動かす速さが所定の閾値以上であるか、あるいは、ユーザが両手を動かした回数が所定の閾値以上であるかを判定するユーザ行動程度判定部を更に備え、前記印刷物状態制御部は、前記ユーザ行動程度判定部によりユーザの両手を動かす速さが所定の閾値以上であるか、あるいは、ユーザが両手を動かした回数が所定の閾値以上であると判定された場合に、前記印刷物に対応する電子データの破棄処理を決定するようにしてもよい。
【００１５】
上記情報管理装置において、前記ユーザ行動認識部は、ユーザ行動時の音を収録する音収録部と、前記音収録部によって取り込まれた音を解析することによって、前記印刷物を破ったときの音であることが認識された場合に、前記ユーザ行動が破棄行為であると識別するユーザ行動識別部とを備えるようにしてもよい。
【００１６】
上記情報管理装置において、前記ユーザ行動認識部は、ユーザの手指に装着したセンサと、前記センサから得られる検出信号を取得するセンサ信号取得部と、前記センサ信号取得部によって取得された検出信号を解析して、前記印刷物を破るときの手の動きが認識された場合に、前記ユーザ行動が破棄行為であると識別するユーザ行動識別部とを備えることを特徴とする。
【００１７】
上述した課題を解決するために、本発明の他の態様である情報管理方法は、印刷物に対応する電子データをデータベースに蓄積するステップと、前記印刷物に対応した電子データの所在情報を取得するステップと、前記印刷物に対するユーザ行動を認識するステップと、前記ユーザ行動が破棄行為であったと認識された場合に、前記印刷物に対応する電子データの破棄処理を決定するステップと、前記データベースに蓄積されている、前記印刷物に対応する電子データを削除するステップとを含むことを特徴とする。
【００１８】
上述した課題を解決するために、本発明の他の態様であるプログラムは、コンピュータに、印刷物に対応する電子データをデータベースに蓄積する蓄積機能、前記印刷物に対応した電子データの所在情報を取得する印刷物識別機能、前記印刷物に対するユーザ行動を認識するユーザ行動認識機能、前記ユーザ行動が破棄行為であったと認識された場合に、前記印刷物に対応する電子データの破棄処理を決定する印刷物状態制御機能、前記印刷物状態制御機能による決定に従って、前記データベースに蓄積されている、前記印刷物に対応する電子データを削除するデータ管理機能を実行させることを特徴とするプログラムである。
【発明の効果】
【００１９】
本発明によれば、実際に印刷された印刷物を破る、ごみ箱に捨てるなど、日常的に行う動作に基づいて、印刷物に対応する電子データを管理することができる。
【図面の簡単な説明】
【００２０】
【図１】第１の実施形態による情報管理装置１の構成を示すブロック図である。
【図２】第１の実施形態による情報管理装置１の動作を説明するためのフローチャートである。
【図３】第２の実施形態による情報管理装置１の構成を示すブロック図である。
【図４】第２の実施形態による情報管理装置１の動作を説明するためのフローチャートである。
【図５】第３の実施形態による情報管理装置１の構成を示すブロック図である。
【図６】第３の実施形態による情報管理装置１の動作を説明するためのフローチャートである。
【図７】第４の実施形態による情報管理装置１の構成を示すブロック図である。
【図８】第４の実施形態による情報管理装置１の動作を説明するためのフローチャートである。
【図９】第５の実施形態による情報管理装置（一部）１の構成を示すブロック図である。
【図１０】第６の実施形態による情報管理装置（一部）１の構成を示すブロック図である。
【発明を実施するための形態】
【００２１】
以下、本発明の各実施形態を、図面を参照して説明する。
【００２２】
［第１の実施形態］
図１は、第１の実施形態による情報管理装置１の構成を示すブロック図である。情報管理装置１は、図１に示すように、ユーザ行動認識部１０、印刷物識別部１１、印刷物状態制御部１２、データ管理部１３、及びデータベース１４を備えている。なお、情報管理装置１（他の実施形態も同様）は、例えば、パーソナルコンピュータ、タブレット端末などであってもよい。
【００２３】
ユーザ行動認識部１０は、印刷物２０に対してユーザ２１が行った動作、行動を認識する。印刷物識別部１１は、印刷物２０に付与された所在情報を電子データとして取得し、該所在情報に基づいて、データベース１４に保存されている、当該印刷物２０に対応する電子データの所在を確認する。
【００２４】
印刷物状態制御部１２は、ユーザ行動認識部１０により認識されたユーザ行動に基づいて、印刷物識別部１１により確認された、当該印刷物２０に対応する電子データの状態変更内容を決定し、データ管理部１３に通知する。より具体的には、ユーザ２１が印刷物２０を破棄する動作、行動を行った場合に、該印刷物２０に対応する電子データを破棄（若しくは破棄したものとして処理）するようデータ管理部１３に通知する。
【００２５】
データ管理部１３は、上記印刷物状態制御部１２から通知される状態変更内容に基づいて、データベース１４に保存されている当該電子データの管理状態を変更（破棄、若しくは破棄したものとして処理）する。データベース１４は、いわゆるハードディスク等の記憶媒体に相当し、印刷物２０に対応する電子データを保持している。電子データは、ディレクトリやフォルダに基づいて、その所在を管理されている。つまり、情報処理装置１は、電子データの所在をルートディレクトリからのパスによって管理している。
【００２６】
図２は、第１の実施形態による情報管理装置１の動作を説明するためのフローチャートである。まず、ユーザは、破棄したい印刷物２０を、情報処理装置１の印刷物識別部１１にかざす。印刷物識別部１１は、印刷物２０に印字された所在情報を電子データとして取得し（ステップＳａ１）、該所在情報に基づいて、データベース１４に保存されている、当該印刷物２０に対応する電子データの所在を確認する（ステップＳａ２）。
【００２７】
次に、印刷物識別部１１は、所在情報が一致する電子データが存在するか否かを判定し（ステップＳａ３）、所在情報が一致する電子データが存在しない場合には（ステップＳａ３：ＮＯ）、当該処理を終了する。
【００２８】
一方、所在情報が一致する電子データが存在する場合には（ステップＳａ３：ＹＥＳ）、印刷物識別部１１は、一致した電子データの所在を取得する（ステップＳａ４）。
【００２９】
ユーザは、破棄したい印刷物２０を、情報処理装置１の印刷物識別部１１にかざした後、ユーザ行動認識部１０の前で印刷物２０を破る。ユーザ行動認識部１０は、ユーザ行動を解析し（ステップＳａ５）、印刷物２０を破る動作であるか否かを判定する（ステップＳａ６）。
【００３０】
そして、ユーザ行動が印刷物２０を破った動作でない場合には（ステップＳａ６：ＮＯ）、当該処理を終了する。
【００３１】
一方、ユーザ行動が印刷物２０を破った動作である場合には（ステップＳａ６：ＹＥＳ）、データ管理部１３は、上記印刷物状態制御部１２からの通知に従って、データベース１４に保存されている当該電子データを破棄する（ステップＳａ７）。
【００３２】
より具体的には、印刷物状態制御部１２は、ユーザ行動認識部１０により認識されたユーザ行動に基づいて、該印刷物２０に対応する電子データを破棄（若しくは破棄したものとして処理）するようデータ管理部１３に通知する。データ管理部１３は、上記印刷物状態制御部１２からの通知に従って、データベース１４に保存されている当該電子データを破棄する。なお、実際に電子データを破棄（削除）するのではなく、破棄したものとして削除済み記憶領域に移動したり、電子データに破棄されたことを示すフラグを立てたりするようにしてもよい。
【００３３】
上述した第１の実施形態によれば、実際に印刷された印刷物を破るなど、日常的に行う動作に基づいて、印刷物に対応する、情報管理装置１内の電子データを管理することができる。
【００３４】
［第２の実施形態］
図３は、第２の実施形態による情報管理装置１の構成を示すブロック図である。なお、図１に対応する部分には同一の符号を付けて説明を省略する。第２の実施形態において、印刷物識別部１１は、印刷部読み取り部１１１と画像認識部１１２とからなる。
【００３５】
情報管理装置１は、ディレクトリやフォルダに基づいて、電子データの所在をルートディレクトリからのパスによって管理している。情報処理装置１は、電子データを印刷する際に、その印刷物に電子データの所在を示す所在情報（パス情報）を、文字列、あるいはマーク（ＱＲコード（登録商標）等）で印字するようになっている。
【００３６】
印刷部読取部１１１は、印刷物２０に文字列、あるいはマーク（ＱＲコード（登録商標）等）として印字されている所在情報を画像データとして読み取る。すなわち、印刷部読取部１１１は、カメラなどの撮像装置からなる。画像認識部１１２は、読み取った画像データを画像認識技術によって認識し、電子データの所在を示す所在情報に変換し、該所在情報に基づいて電子データの所在を確認する。
【００３７】
図４は、第２の実施形態による情報管理装置１の動作を説明するためのフローチャートである。まず、ユーザは、破棄したい印刷物２０を、情報処理装置１の印刷物読取部１１１にかざす。印刷物読取部１１１は、印刷物２０に文字列、あるいはマーク（ＱＲコード（登録商標）等）として印字されている所在情報を画像データとして読み取る（ステップＳｂ１）。画像認識部１１２は、読み取った画像データを画像認識技術によって認識し、電子データの所在を示す所在情報に変換し（ステップＳｂ２）、該所在情報に基づいて電子データの所在を確認する（ステップＳｂ３）。
【００３８】
次に、画像認識部１１２は、所在情報が一致する電子データが存在するか否かを判定し（ステップＳｂ４）、所在情報が一致する電子データが存在しない場合には（ステップＳｂ４：ＮＯ）、当該処理を終了する。
【００３９】
一方、所在情報が一致する電子データが存在する場合には（ステップＳｂ４：ＹＥＳ）、画像認識部１１２は、一致した電子データの所在を取得する（ステップＳｂ５）。
【００４０】
ユーザは、破棄したい印刷物２０を、情報処理装置１の印刷物読取部１１１にかざした後、ユーザ行動認識部１０の前で印刷物２０を破る。ユーザ行動認識部１０は、ユーザ行動を解析し（ステップＳｂ６）、印刷物２０を破る動作であるか否かを判定する（ステップＳｂ７）。
【００４１】
そして、ユーザ行動が印刷物２０を破った動作でない場合には（ステップＳｂ７：ＮＯ）、当該処理を終了する。
【００４２】
一方、ユーザ行動が印刷物２０を破った動作である場合には（ステップＳｂ７：ＹＥＳ）、データ管理部１３は、上記印刷物状態制御部１２からの通知に従って、データベース１４に保存されている当該電子データを破棄する（ステップＳｂ８）。なお、実際に電子データを破棄（削除）するのではなく、破棄したものとして削除済み記憶領域に移動したり、電子データに破棄されたことを示すフラグを立てたりするようにしてもよい。
【００４３】
なお、上記第２の実施形態において、印刷物２０に所在情報を示す文字列、あるいはマーク（ＱＲコード（登録商標）等）が印字されていない場合には、読み取り面全体を画像データとして取り込み、画像認識技術を用いて、データベース１４内の電子データすべてのプレビュー画像の中で一致する電子データを探索することで、印刷物２０に対応する電子データの所在を取得するようにしてもよい。また、第２の実施形態において、印刷物２０に印字される、所在情報を示す情報としては、バーコードであってもよく、この場合、印刷物読取部１１１としては、カメラなどの撮像装置でもよいが、バーコード専用のバーコードリーダを用いてもよい。
【００４４】
上述した第２の実施形態によれば、実際に印刷された印刷物を破るなど、日常的に行う動作に基づいて、印刷物に対応する、情報管理装置１内の電子データを管理することができる。
【００４５】
［第３の実施形態］
図５は、第３の実施形態による情報管理装置１の構成を示すブロック図である。なお、図１に対応する部分には同一の符号を付けて説明を省略する。図５において、ユーザ行動認識部１０は、撮影部１０１とユーザ行動識別部１０２とからなる。撮影部１０１は、いわゆるカメラ装置からなり、撮影範囲のユーザ（の動作）を撮影し（連写した静止画、または動画いずれでもよい）、撮影データをユーザ行動識別部１０２に供給する。
【００４６】
ユーザ行動識別部１０２は、撮影データに基づいて、印刷物２０に対してユーザ２１が行った動作、行動を識別し、ユーザが印刷物を破った。より具体的には、ユーザ行動識別部１０２は、撮影データから、ユーザの手の形状、及び肌の色を識別し、左右の手の間が印刷物の色でつながっていることを判定するとともに、ユーザが印刷物２０を両手に持ち、さらに、左右の手の動きが上下別々の方向に一定速度以上に動いたことを識別することで、ユーザが印刷物２０を破ったと判定する。あるいは、左右の手の間が印刷物の色でつながっていたものが、連続的に分断していく様子を識別することで、ユーザが印刷物を破ったと判定してもよい。
【００４７】
図６は、第３の実施形態による情報管理装置１の動作を説明するためのフローチャートである。まず、ユーザは、破棄したい印刷物２０を、情報処理装置１の印刷物識別部１１にかざす。印刷物識別部１１は、印刷物２０に印字された所在情報を電子データとして取得し（ステップＳｃ１）、該所在情報に基づいて、データベース１４に保存されている、当該印刷物２０に対応する電子データの所在を確認する（ステップＳｃ２）。
【００４８】
次に、印刷物識別部１１は、所在情報が一致する電子データが存在するか否かを判定し（ステップＳｃ３）、所在情報が一致する電子データが存在しない場合には（ステップＳｃ３：ＮＯ）、当該処理を終了する。
【００４９】
一方、所在情報が一致する電子データが存在する場合には（ステップＳｃ３：ＹＥＳ）、印刷物識別部１１は、一致した電子データの所在を取得する（ステップＳｃ４）。
【００５０】
ユーザは、破棄したい印刷物２０を、情報処理装置１の印刷物識別部１１にかざした後、ユーザ行動認識部１０の前で印刷物２０を破る。ユーザ行動認識部１０の撮影部１０１は、撮影範囲のユーザ（の動作）を撮影する（ステップＳｃ５）。ユーザ行動識別部１０２は、撮影データを画像解析することによって、印刷物２０に対してユーザ２１が行った動作、行動を識別し（ステップＳｃ６）、印刷物２０を破る動作であるか否かを判定する（ステップＳｃ７）。
【００５１】
ユーザ行動認識では、画像解析技術を用いて、手の形状、及び肌の色を識別し、左右の手の間が印刷物２０の色でつながっていることを認識することで、ユーザが印刷物２０を両手に持っていると判定し、さらに、左右の手の動きが上下別々の方向に一定速度以上に動いたことを認識することで、ユーザが印刷物２０を破ったと判定する。
【００５２】
そして、ユーザ行動が印刷物２０を破った動作でない場合には（ステップＳｃ７：ＮＯ）、当該処理を終了する。
【００５３】
一方、ユーザ行動が印刷物２０を破った動作である場合には（ステップＳｃ７：ＹＥＳ）、データ管理部１３は、上記印刷物状態制御部１２からの通知に従って、データベース１４に保存されている当該電子データを破棄する（ステップＳｃ８）。なお、実際に電子データを破棄（削除）するのではなく、破棄したものとして削除済み記憶領域に移動したり、電子データに破棄されたことを示すフラグを立てたりするようにしてもよい。
【００５４】
上述した第３の実施形態によれば、実際に印刷された印刷物を破るなど、日常的に行う動作に基づいて、印刷物に対応する、情報管理装置１内の電子データを管理することができる。
【００５５】
［第４の実施形態］
図７は、第４の実施形態による情報管理装置１の構成を示すブロック図である。なお、図１に対応する部分には同一の符号を付けて説明を省略する。図７において、ユーザ行動認識部１０は、撮影部１０１とユーザ行動識別部１０２とユーザ行動程度判定部１０３とからなる。ユーザ行動程度判定部１０３は、ユーザ行動識別部１０２により、印刷物２０に対するユーザ２１が行った動作、行動の識別結果に基づいて、ユーザ行動程度として、ユーザの両手を動かす速さ、動かした回数を合わせて識別し、動かす速さが所定の閾値以上である、あるいは、動かした回数が所定の閾値以上である場合、ユーザが印刷物を復元不可能な状態に破ったと判定する。
【００５６】
図８は、第４の実施形態による情報管理装置１の動作を説明するためのフローチャートである。まず、ユーザは、破棄したい印刷物２０を、情報処理装置１の印刷物識別部１１にかざす。印刷物識別部１１は、印刷物２０に印字された所在情報を電子データとして取得し（ステップＳｄ１）、該所在情報に基づいて、データベース１４に保存されている、当該印刷物２０に対応する電子データの所在を確認する（ステップＳｄ２）。
【００５７】
次に、印刷物識別部１１は、所在情報が一致する電子データが存在するか否かを判定し（ステップＳｄ３）、所在情報が一致する電子データが存在しない場合には（ステップＳｄ３：ＮＯ）、当該処理を終了する。
【００５８】
一方、所在情報が一致する電子データが存在する場合には（ステップＳｄ３：ＹＥＳ）、印刷物識別部１１は、一致した電子データの所在を取得する（ステップＳｄ４）。
【００５９】
ユーザは、破棄したい印刷物２０を、情報処理装置１の印刷物識別部１１にかざした後、ユーザ行動認識部１０の前で印刷物２０を破る。ユーザ行動認識部１０の撮影部１０１は、撮影範囲のユーザ（の動作）を撮影する（ステップＳｄ５）。ユーザ行動識別部１０２は、撮影データを画像解析することによって、印刷物２０に対してユーザ２１が行った動作、行動を識別する（ステップＳｄ６）。ユーザ行動認識方法については、前述した第３の実施形態と同様である。但し、第４の実施形態では、この時点では、あくまでユーザの動作、行動を識別するのであって、印刷物２０を破ったかどうかは判定しない。
【００６０】
次に、ユーザ行動程度判定部１０３は、ユーザ行動識別部１０２による、印刷物２０に対するユーザ２１が行った動作、行動の識別結果に基づいて、ユーザ行動程度を判定し（ステップＳｄ７）、印刷物２０を破る動作であるか否かを判定する（ステップＳｄ８）。例えば、ユーザの両手を動かす速さが所定の閾値以上である、あるいは、動かした回数が所定の閾値以上である場合に、ユーザが印刷物を復元不可能な状態に破ったと判定する。
【００６１】
そして、ユーザ行動が印刷物２０を破った動作でない場合には（ステップＳｄ８：ＮＯ）、当該処理を終了する。
【００６２】
一方、ユーザ行動が印刷物２０を破った動作である場合には（ステップＳｄ８：ＹＥＳ）、データ管理部１３は、上記印刷物状態制御部１２からの通知に従って、データベース１４に保存されている当該電子データを破棄する（ステップＳｄ９）。なお、実際に電子データを破棄（削除）するのではなく、破棄したものとして削除済み記憶領域に移動したり、電子データに破棄されたことを示すフラグを立てたりするようにしてもよい。
【００６３】
なお、上述した第４の実施形態では、ユーザ動作の程度に応じて、ユーザ動作が印刷物を破った動作と認識したが、さらに、ユーザ動作の程度に応じて電子データの破棄レベルを変更するようにしてもよい。破棄レベルとは、復元可能な削除済み記憶領域に移動する、復元不可能な削除済み記憶領域に移動するなどとする。例えば、手指の動かす速さが所定の閾値以上である場合や、あるいは、手指の動かす回数が一定時間以内に所定の閾値以上である場合には、復元不可能な削除済み記憶領域に移動するようにしてもよい。
【００６４】
上述した第４の実施形態によれば、実際に印刷された印刷物を破る、ごみ箱に捨てるなど、日常的に行う動作に基づいて、印刷物に対応する、情報管理装置１内の電子データを確実に破棄することができる。また、破る、ごみ箱に捨てるときのユーザ動作の程度に応じて、電子データの管理レベルを変更するようにすれば、例えば、細かく破ったり、激しくごみ箱に投げ入れたりした場合には、電子データを復元不可能な状態にするなど、よりきめ細かな管理を実現することができる。
【００６５】
なお、ごみ箱に捨てる行為の認識は、例えば、ごみ箱を撮像しておき、印刷物から該印刷物に対応する電子データの所在情報を取得後、ユーザが当該印刷物をごみ箱の中に入れたことを認識することで実現する。
【００６６】
［第５の実施形態］
図９は、第５の実施形態による情報管理装置（一部）１の構成を示すブロック図である。図９には、ユーザ行動認識部１０の構成のみを示し、他の構成は省略している。図９において、ユーザ行動認識部１０は、音収録部１０４とユーザ行動識別部１０５とを備えている。音収録部１０４は、いわゆるマイクロフォンからなり、情報管理装置１の周囲の音を取り込み、該取り込んだ音声データをユーザ行動識別部１０５に供給する。ユーザ行動識別部１０５は、取り込まれた音声データに基づいて、音解析技術を用いてスペクトル分析等を行い、ユーザが印刷物を破るときの音を認識することで、ユーザの破棄行動を判定する。なお、情報管理装置１の主たる動作については、前述した第１乃至第４の実施形態と同様であるので説明を省略する。
【００６７】
上述した第５の実施形態によれば、実際に印刷された印刷物を破るなど、日常的に行う動作を上手く認識することができないような状況であっても、印刷物を破るときの音に基づいて、印刷物に対応する、情報管理装置１内の電子データを確実に破棄することができる。
【００６８】
［第６の実施形態］
図１０は、第６の実施形態による情報管理装置（一部）の構成を示すブロック図である。図１０には、ユーザ行動認識部１０の構成のみを示し、他の構成は省略している。図１０において、ユーザ行動認識部１０は、センサ１０６、１０６と、センサ信号取得部１０７と、ユーザ行動識別部１０８とを備えている。センサ１０６、１０６は、３軸加速度センサやジャイロセンサ等からなり、ユーザの手指に取り付けられている。該センサ１０６、１０６は、ユーザの手指の動きに応じた検出信号をセンサ信号取得部１０７に供給する。センサ信号取得部１０７は、センサ１０６、１０６からの検出信号を取得し、所定の信号処理を施した後、ユーザ行動識別部１０８に供給する。ユーザ行動識別部１０８は、センサ信号取得部１０７からの検出信号を用いて、ユーザが印刷物を両手で保持し、上下方向に破る動作を認識することで、ユーザの破棄行動を判定する。なお、情報管理装置１の主たる動作については、前述した第１乃至第４の実施形態と同様であるので説明を省略する。
【００６９】
上述した第６の実施形態によれば、実際に印刷された印刷物を破るなど、日常的に行う動作をより確実に認識することができ、印刷物に対応する、情報管理装置１内の電子データを確実に破棄することができる。
【００７０】
なお、上記各実施形態は、印刷物を実際に破棄した結果を踏まえて印刷物に対応する電子データを破棄する場合を想定しているが、電子データを先に破棄してしまった後に印刷物の電子データの所在情報を取得した場合、即ち、所在情報が一致する電子データが存在しない場合には（例えば第１の実施形態のステップＳａ３：Ｎｏ）には、破棄した印刷物に対応する電子データが存在していない旨（当該印刷物の破棄を促す警告音、メッセージ）をユーザに報知するようにしてもよい。
【００７１】
また、上記各実施形態において、ユーザによる破棄行動の認識後、電子データ破棄前に（例えば第１の実施形態のステップＳａ７の直前に）、当該電子データを本当に破棄してもよいかをユーザに確認するアラート処理、実際に当該電子データが破棄されたときにユーザに報知するメッセージ処理を追加するようにしてもよい。また、ユーザによる破棄行動が認識されない場合には（例えば第１の実施形態のステップＳａ６：Ｎｏ）には、破棄行動が認識されなかった旨、又は、電子データが破棄されない旨をユーザに報知するメッセージ処理を追加するようにしてもよい。
【００７２】
なお、ユーザによる破棄行為の一例として、上記実施形態では、印刷物を破る行為、印刷物をごみ箱に捨てる行為について説明したが、破棄行為としてユーザが日常的に行う行為（例えば、印刷物をシュレッダーに入れる行為、印刷物を小さく丸める行為、印刷物を燃やす行為、印刷物を塗りつぶす行為）を破棄行為として認識してもよい。
【００７３】
印刷物をシュレッダーに入れる行為は、例えば、シュレッダーを撮像しておき、シュレッダーの位置で対象印刷物の大きさが徐々に小さくなり消えてしまう時間的な変化を認識することで実現する。印刷物を小さく丸める行為は、例えば、ユーザの手の動きや印刷物の形状の変化を認識することで実現する。印刷物を燃やす行為は、例えば、カメラや温度センサで、火が燃えているときの画像や温度を認識することで実現する。印刷物を塗りつぶす行為は、カメラで、例えば、元々認識できていた文字列が同一色で塗りつぶされていく時間的な色変化を認識することで実現する。
【００７４】
なお、第４の実施形態の如く、ユーザ動作の程度に応じて破棄レベルを変化させる場合において、複雑な、若しくは、複合的な行為（例えば、印刷物を丸めた上でごみ箱に投げ入れる行為）をした場合に、復元不可能な削除済み記憶領域に移動するようにしてもよい。
【００７５】
また、上記各実施形態では、印刷物識別部１１とユーザ行動認識部１０とを別々の構成としたが、これに限らず、１つの撮像装置（カメラ）で、印刷物（の所在情報）の撮影と、ユーザの印刷物に対する動作、行動を撮影し、撮影した映像を元に、印刷物（の所在情報）を取得するとともに、ユーザの印刷物に対する動作、行動を認識するようにしてもよい。
【００７６】
また、上記各実施形態において、情報管理装置１が印刷物識別部１１と行動認識部１０とを備える構成について説明したが、印刷物識別部１１（ユーザ行動認識部１０も同様）は別体であってもよい。例えば、情報管理装置１と通信可能な他の機器が、印刷物を認識してもよいし、情報管理装置１と通信可能な他の機器が、ユーザ行動を認識してもよい。
【００７７】
また、上記各実施形態において、情報管理装置１が破棄対象となる電子データを蓄積するデータベース１４を備える構成について説明したが、データベース１４は別体であってもよい。例えば、情報管理装置１と通信可能な他の機器が、破棄対象となる電子データを蓄積してもよい。
【符号の説明】
【００７８】
１…情報管理装置  １０…ユーザ行動認識部  １０１…撮影部  １０２…ユーザ行動識別部  １０３…ユーザ行動程度判定部  １０４…音収録部  １０６…センサ  １０７…センサ信号取得部  １０５、１０８…ユーザ行動識別部  １１…印刷物識別部  １１１…印刷物読取部  １１２…画像認識部  １２…印刷物状態制御部  １３…データ管理部  １４…データベース  ２０…印刷物  ２１…ユーザ
【図１】
0005859373.tif 000002
【図２】
0005859373.tif 000003
【図３】
0005859373.tif 000004
【図４】
0005859373.tif 000005
【図５】
0005859373.tif 000006
【図６】
0005859373.tif 000007
【図７】
0005859373.tif 000008
【図８】
0005859373.tif 000009
【図９】
0005859373.tif 000010
【図１０】
0005859373.tif 000011